(57)【要約】【課題】吸引物が外部に漏れるおそれがない内視鏡の吸引制御装置を提供する。【解決手段】筒体１５に，内視鏡の先端部に接続される先端部側吸引孔２１，吸引源に接続される吸引側吸引孔２６，リーク孔２８を開口させた。さらに，リーク孔２８と吸引側吸引孔２６と連通させるリーク用流通路４５を設けた。筒体１５内で昇降する移動体１６には栓部４１を設けた。移動体１６は，栓部４１によって先端部側吸引孔２１を閉塞しつつリーク孔２８とリーク用流通路４５を連通させる待機位置Ｐ１と，栓部４１を先端部側吸引孔２１から離して先端部側吸引孔２１と吸引側吸引孔２６を連通させ，リーク孔２８とリーク用流通路４５は連通させない吸引位置とに移動可能である。そして待機位置Ｐ１と吸引位置との間では，先端部側吸引孔２１を閉塞し，リーク孔２８とリーク用流通路４５を連通させないようにした。【選択図】  図３
2006081756.tif 000002
【特許請求の範囲】
【請求項１】
筒体と，前記筒体の内側で昇降する移動体とを備え，
前記筒体の内面に，内視鏡の先端部に接続される先端部側吸引孔と，吸引源に接続される吸引側吸引孔とを開口させ，
前記移動体は，前記先端部側吸引孔を前記吸引側吸引孔に連通させず，かつ，前記吸引側吸引孔を外気に連通させる待機位置と，前記先端部側吸引孔を前記吸引側吸引孔に連通させ，かつ，前記先端部側吸引孔と前記吸引側吸引孔とを外気に連通させない吸引位置と，に移動可能であり，
前記待機位置と前記吸引位置との間において，前記先端部側吸引孔，前記吸引側吸引孔及び外気を互いに連通させない構成としたことを特徴とする，内視鏡の吸引制御装置。
【請求項２】
前記移動体に，前記先端部側吸引孔を開閉する栓部を設け，
前記移動体が前記待機位置にあるとき，及び，前記待機位置と前記吸引位置との間にあるとき，前記栓部によって前記先端部側吸引孔を閉塞し，
前記移動体が前記吸引位置にあるときは，前記栓部を前記先端部側吸引孔から離すことにより，前記先端部側吸引孔を開口させる構成としたことを特徴とする，請求項１に記載の内視鏡の吸引制御装置。
【請求項３】
筒体と，前記筒体の内側で昇降する移動体とを備え，
前記筒体の内面に，内視鏡の先端部に接続される先端部側吸引孔と，吸引源に接続される吸引側吸引孔とを開口させ，
前記先端部側吸引孔を開閉させる弁部を設け，
前記移動体は，前記弁部を開口させず，かつ，前記吸引側吸引孔を外気に連通させる待機位置と，前記弁部を開口させ，かつ，前記吸引側吸引孔を外気に連通させない吸引位置と，に移動可能であり，
前記待機位置と前記吸引位置との間において，前記弁部を開口させず，かつ，前記吸引側吸引孔を外気に連通させない構成としたことを特徴とする，内視鏡の吸引制御装置。
【請求項４】
前記筒体にリーク孔を開口させ，
前記移動体に，前記リーク孔と前記吸引側吸引孔とを連通させるリーク用流通路を設け，
前記移動体が前記待機位置にあるときは，前記リーク孔と前記リーク用流通路とを連通させ，前記移動体が前記待機位置と前記吸引位置との間にあるとき，及び，前記移動体が前記吸引位置にあるとき，前記リーク孔と前記リーク用流通路とを連通させない構成としたことを特徴とする，請求項１，２又は３に記載の内視鏡の吸引制御装置。
【発明の詳細な説明】
【技術分野】
【０００１】
本発明は，内視鏡において先端部から吸引を行う吸引路の開閉操作を行うための吸引制御装置に関する。
【背景技術】
【０００２】
一般に内視鏡には吸引制御装置が設けられており，吸引制御装置を操作することにより，内視鏡内に設けた吸引路を吸引ポンプなどの吸引源に接続させ，体腔内の体液等の吸引物を先端部から吸引して，体腔外に排出できるようになっている。
【０００３】
従来，内視鏡の吸引制御装置として，内視鏡の操作部に設けられ，内視鏡内に設けた先端部側吸引路と吸引ポンプに接続させた吸引側吸引路とを接続した筒体と，筒体の内側に設けた操作部材と，弾性を有するカバーなどの付勢部材とによって構成されたものが提案されている（例えば，特許文献１参照。）。この吸引制御装置においては，待機状態では先端部側吸引路が閉塞され，カバーなどに形成したリーク孔と吸引側吸引路とが筒体を介して連通するようになっており，操作部材を押し込んで吸引状態にすると，先端部側吸引路と吸引側吸引路とが筒体を介して連通するとともに，リーク孔が閉塞されるようになっている。また，吸引路からリーク路を分岐させ，吸引路とリーク路にピンチバルブ式の弁を備えた構成が提案されている（例えば，特許文献２，３参照。）。これらの吸引制御装置においては，待機状態では吸引路を閉じてリーク路を開き，吸引状態では吸引路を開いてリーク路を閉じるようにしている。
【０００４】
【特許文献１】特許第３１８７１０２号公報
【特許文献２】特開平７−１２４１０５号公報
【特許文献３】特開平８−５４９号公報
【０００５】
しかしながら，特許第３１８７１０２号公報に記載された吸引制御装置にあっては，吸引状態にする途中で，先端部側吸引路とリーク孔が連通した状態になるので，吸引物がリーク孔から外部に漏れる危険を完全に無くすことはできなかった。また，特開平７−１２４１０５号公報，特開平８−５４９号公報に記載された吸引制御装置では，吸引路を開くと同時にリーク路を閉じることが可能であり，吸引物がリーク路から外部に漏れることを防止できるが，吸引物が内部を通るように構成された一般的なディスポーサブル式の吸引制御装置に適用できない問題があった。
【発明の開示】
【発明が解決しようとする課題】
【０００６】
本発明の目的は，吸引物が外部に漏れるおそれがない吸引制御装置を提供することにある。
【課題を解決するための手段】
【０００７】
上記課題を解決するため，本発明によれば，筒体と，前記筒体の内側で昇降する移動体とを備え，前記筒体の内面に，内視鏡の先端部に接続される先端部側吸引孔と，吸引源に接続される吸引側吸引孔とを開口させ，前記移動体は，前記先端部側吸引孔を前記吸引側吸引孔に連通させず，かつ，前記吸引側吸引孔を外気に連通させる待機位置と，前記先端部側吸引孔を前記吸引側吸引孔に連通させ，かつ，前記先端部側吸引孔と前記吸引側吸引孔とを外気に連通させない吸引位置と，に移動可能であり，前記待機位置と前記吸引位置との間においては，前記先端部側吸引孔，前記吸引側吸引孔及び外気を互いに連通させない構成としたことを特徴とする，内視鏡の吸引制御装置が提供される。この吸引装置にあっては，前記移動体に，前記先端部側吸引孔を開閉する栓部を設け，前記移動体が前記待機位置にあるとき，及び，前記待機位置と前記吸引位置との間にあるとき，前記栓部によって前記先端部側吸引孔を閉塞し，前記移動体が前記吸引位置にあるときは，前記栓部を前記先端部側吸引孔から離すことにより，前記先端部側吸引孔を開口させる構成としても良い。
【０００８】
また，本発明によれば，筒体と，前記筒体の内側で昇降する移動体とを備え，前記筒体の内面に，内視鏡の先端部に接続される先端部側吸引孔と，吸引源に接続される吸引側吸引孔とを開口させ，前記先端部側吸引孔を開閉させる弁部を設け，前記移動体は，前記弁部を開口させず，かつ，前記吸引側吸引孔を外気に連通させる待機位置と，前記弁部を開口させ，かつ，前記吸引側吸引孔を外気に連通させない吸引位置と，に移動可能であり，前記待機位置と前記吸引位置との間において，前記弁部を開口させず，かつ，前記吸引側吸引孔を外気に連通させない構成としたことを特徴とする，内視鏡の吸引制御装置が提供される。
【０００９】
なお，前記筒体にリーク孔を開口させ，前記移動体に，前記リーク孔と前記吸引側吸引孔とを連通させるリーク用流通路を設け，前記移動体が前記待機位置にあるときは，前記リーク孔と前記リーク用流通路とを連通させ，前記移動体が前記待機位置と前記吸引位置との間にあるとき，及び，前記移動体が前記吸引位置にあるとき，前記リーク孔と前記リーク用流通路とを連通させない構成としても良い。
【発明の効果】
【００１０】
本発明によれば，待機状態から吸引状態にするとき，先端部側吸引孔を吸引側吸引孔と連通させて吸引を開始する前に，先端部側吸引孔及び吸引側吸引孔を外気から遮断することができる。また，吸引状態から待機状態にするとき，吸引側吸引孔を外気と連通させる前に，先端部側吸引孔を吸引側吸引孔から遮断して吸引を停止させることができる。従って，先端部側吸引孔から吸引された吸引物がリーク孔などから外部に漏れるおそれがなく，術者や被験者に吸引物が付着することなく清潔な状態で使用することができる。
【発明を実施するための最良の形態】
【００１１】
以下，本発明の好ましい実施の形態を図面を参照にして説明する。図１に示すように，内視鏡１は，体腔内に挿入される可撓性を有する細長い挿入部２と，挿入部２の基端に接続された操作部３とを備えている。操作部３には，各種の外部装置のケーブル，チューブ類等が接続されるコネクタ部４が，コード部５を介して連結されている。
【００１２】
また，図示はしないが，挿入部２の先端部には，観察対象物を照明する照明光を照射するための照明窓，観察対象物からの反射光を取入れる撮像窓，体腔内に向かって液体や色素等の様々な処理流体を噴射する処理流体供給口，体腔内の体液や汚物等を吸引する吸引口などが設けられている。
【００１３】
挿入部２内には，吸引管７が通して設けられている。吸引管７の先端は，挿入部２の先端部に設けられた吸引口に接続されている。吸引管７の基端は，操作部３に開口された取付穴８に接続されている。取付穴８には，本発明にかかる吸引制御装置１０が着脱自在に取り付けられる。吸引制御装置１０には，口金部１１が操作部３の外部に延出されるように設けられている。口金部１１の先端には，吸引源としての吸引ポンプ１２に接続された吸引チューブ１３が取り付けられる。
【００１４】
図２に示すように，本発明にかかる吸引制御装置１０は，取付穴８の内側に挿入される筒体１５と，筒体１５の内側で昇降可能な移動体１６とを備えている。図２において筒体１５の上部は取付穴８の上端部より上方に突出した状態で配置され，取付穴８より上方において筒体１５の外側面に，口金部１１が設けられている。吸引管７の端部は取付穴８の下端部に接続されている。
【００１５】
筒体１５の下端部には，先端部側吸引孔２１が開口されている。この先端部側吸引孔２１は，筒体１５を取付穴８に挿入することにより，筒体１５の下端部と取付穴８の下端部との間の空間Ａを介して吸引管７に連通するようになっており，空間Ａ及び吸引管７を介して内視鏡１の先端部に接続される。また，先端部側吸引孔２１，空間Ａ及び吸引管７の内側によって先端部側吸引路２４が構成されるようになっている。
【００１６】
筒体１５の内側面には，吸引側吸引孔２６が開口されている。吸引側吸引孔２６は，口金部１１を介して前述した吸引チューブ１３（図１参照）に連通しており，口金部１１及び吸引チューブ１３を介して吸引ポンプ１２（図１参照）に接続されている。また，吸引側吸引孔２６，口金部１１の内側，及び，前述した吸引チューブ１３（図１参照）の内側によって吸引側吸引路２７が構成されている。さらに，筒体１５の内側面には，吸引側吸引孔２６より上方において，リーク孔２８が開口されている。
【００１７】
移動体１６は，筒体１５の内径とほぼ同じ外径で形成された大径部３１と，筒体１５の内径より小さな外径で形成された小径部３２とを備えている。
【００１８】
大径部３１は，外側面を筒体１５の内側面に接触させた状態で配置されている。大径部３１の上端部は，筒体１５の上端部より上方に突出している。大径部３１の上端部には，筒体１５の内径より大きな外径で形成されたボタン部３３が形成されている。ボタン部３３の下面と筒体１５の上面との間には，バネなどの弾性部材３５が設けられている。
【００１９】
小径部３２は，筒体１５の内部において大径部３１の下方に設けられ，小径部３２の外側面と筒体１５の内側面との間には，断面が環状の筒状空間Ｂが形成されている。吸引側吸引孔２６は，この筒状空間Ｂに向かって開口されている。小径部３２の下端部には，先端部側吸引孔２１を開閉する栓部４１が設けられている。栓部４１は，先端部側吸引孔２１の内径とほぼ同じ外径で形成されている。さらに，先端部側吸引孔２１の下方において，栓部４１の下端部には，先端部側吸引孔２１の内径より大きな外径で形成された鍔部４２が形成されている。
【００２０】
かかる構成において，通常の待機状態では弾性部材３５が圧縮されており，ボタン部３３に対して筒体１５の上面から持ち上げる向きに弾性力が加えられる。従って，移動体１６は弾性部材３５の弾性力により筒体１５に対して上昇する向きに付勢される。但し，筒体１５の下面において鍔部４２が先端部側吸引孔２１の周囲に引っ掛かるので，栓部４１が先端部側吸引孔２１内に保持され，先端部側吸引孔２１が閉塞される。こうして，移動体１６が待機位置Ｐ１に保持されている。そして，弾性部材３５の弾性力に抗してボタン部３３を押し，移動体１６を下降させることにより，栓部４１が先端部側吸引孔２１から離れて先端部吸引孔２１が開口されるようになっている。
【００２１】
また，移動体１６の内部には，リーク用流通路４５が形成されている。リーク用流通路４５の一端部４５ａは，大径部３１の外側面に開口され，リーク用流通路４５の他端部４５ｂは，小径部３２の外側面において筒状空間Ｂに向かって開口されている。端部４５ａは，移動体１６が弾性部材３５の弾性力により待機位置Ｐ１に持ち上げられているときは，リーク孔２８の内側に一致して連通する。従って，リーク孔２８がリーク用流通路４５及び筒状空間Ｂを介して吸引側吸引孔２６と連通するようになっている。
【００２２】
次に，以上のように構成された内視鏡１の吸引制御装置１０の操作について説明する。先ず，図２に示す待機状態では，弾性部材３５の弾性力により，移動体１６が待機位置Ｐ１に上昇させられた状態に維持されている。この状態では，先端部側吸引孔２１の内側面に栓部４１の外側面が密着されるとともに，筒体１５の下面において先端部側吸引孔２１の周囲に鍔部４２が密着されるようにして，先端部側吸引孔２１が閉塞されている。従って，先端部側吸引路２４が筒状空間Ｂ，吸引側吸引路２７，リーク用流通路４５，リーク孔２８，及び，リーク孔２８の外側の外気と連通しない状態になっている。また，リーク用流通路４５の端部４５ａがリーク孔２８の内側に一致するように配置され，リーク孔２８とリーク用流通路４５が連通している。即ち，リーク孔２８，リーク用流通路４５，及び，筒状空間Ｂを介して，吸引側吸引孔２６が外気に連通した状態になっている。また，吸引ポンプ１２（図１参照）は常時作動しており，吸引ポンプ１２の吸引力により，外気がリーク孔２８から流入して，リーク用流通路４５，筒状空間Ｂ，吸引側吸引路２７を通過するように吸引されている。これにより吸引ポンプ１２の吸引力がリークされている。先端部側吸引孔２１は栓部４１によって閉塞されているので，先端部側吸引路２４からの吸引は停止されている。
【００２３】
吸引を行おうとするとき，術者は，手指によりボタン部３３を押圧し，移動体１６を押し下げるようにする。リーク用流通路４５の端部４５ａがリーク孔２８に対して下降しはじめると，リーク孔２８が大径部３１の外側面によって，リーク用流通路４５の端部４５ａが筒体１５の内側面によってそれぞれ次第に塞がれていく。そして，図３に示すように移動体１６を待機位置Ｐ１から距離Ｌ１だけ押し下げると，リーク孔２８が大径部３１の外側面によって完全に閉塞されるとともに，リーク用流通路４５の端部４５ａが筒体１５の内側面によって完全に閉塞される。従って，リーク孔２８がリーク用流通路４５と連通しない状態となり，筒状空間Ｂ’及び吸引側吸引孔２６から遮断されるので，リーク孔２８からの外気の流入が停止される。また，このように移動体１６が下降する間，鍔部４２は筒体１５の下面から離隔するが，栓部４１の上部は先端部側吸引孔２１に接触しながら下降するので，先端部側吸引孔２１は未だ栓部４１によって閉塞されている。従って，先端部側吸引路２４からの吸引も停止されたままになっている。こうして，移動体１６を待機位置Ｐ１から下降させることにより，先端部側吸引孔２１，吸引側吸引孔２６及び外気を互いに連通させない状態にすることができる。
【００２４】
ボタン部３３をさらに押し下げ，図４に示すように移動体１６を待機位置Ｐ１から距離Ｌ２（Ｌ２＞Ｌ１）だけ下降させると，移動体１６が吸引位置Ｐ２に移動する。すると，栓部４１が先端部側吸引孔２１から離隔して下方に配置され，先端部側吸引孔２１が開口される。即ち，筒状空間Ｂ”を介して先端部側吸引孔２１と吸引側吸引孔２６が連通する。従って，吸引ポンプ１２の吸引力により，吸引物が先端部の吸引口から先端部側吸引路２４に吸引されるようになる。吸引物は，先端部側吸引路２４，筒状空間Ｂ”，吸引側吸引路２７を通過して，吸引ポンプ１２側で排出される。このとき，リーク孔２８は先端部側吸引孔２１，リーク用流通路４５，筒状空間Ｂ”及び吸引側吸引孔２６と連通していないので，先端部側吸引孔２１及び吸引側吸引孔２６は外気と連通しておらず，先端部側吸引孔２１から筒状空間Ｂ”内に吸引された吸引物がリーク孔２８から流出するおそれはない。
【００２５】
吸引を行う間は，ボタン部３３を押し続けて移動体１６を吸引位置Ｐ２に維持する。術者がボタン部３３から手指を離すと，移動体１６は弾性部材３５の付勢により吸引位置Ｐ２から持ち上げられる。栓部４１が先端部側吸引孔２１に挿入されると，先端部側吸引孔２１が閉塞され，先端部側吸引路２４からの吸引が停止される。そして，移動体１６がさらに上昇すると，リーク用流通路４５の端部４５ａがリーク孔２８と連通しはじめて，外気の流入が再開される。このようにリーク孔２８とリーク用流通路４５との連通が始まるとき，先端部側吸引孔２１は既に閉じられて，先端部側吸引路２４からの吸引が停止されているので，吸引物がリーク用流通路４５を介してリーク孔２８から流出するおそれはない。そして，筒体１５の下面に鍔部４２が当接すると，移動体１６が待機位置Ｐ１（図２）で止まり，リーク用流通路４５の端部４５ａとリーク孔２８が一致するように連通した状態で静止する。こうして，吸引制御装置１０が再び待機状態に戻るようになっている。このように，ボタン部３３を押したり，ボタン部３３から手指を離したりするだけで，吸引制御装置１０の待機状態と吸引状態とを簡単に切り替えることができる。
【００２６】
かかる吸引制御装置１０によれば，移動体１６が待機位置Ｐ１と吸引位置Ｐ２との間に配置されるとき，先端部側吸引孔２１を閉塞すると共にリーク孔２８とリーク用流通路４５とを連通させない構成としたことにより，待機状態から吸引状態にする際，先端部側吸引孔２１を開いて吸引側吸引孔２６と連通させる前に，リーク孔２８をリーク用流通路４５と連通しない状態にして先端部側吸引孔２１及び吸引側吸引孔２６から遮断し，吸引側吸引孔２６を外気と連通しない状態にすることができる。また，吸引状態から待機状態にする際，リーク孔２８とリーク用流通路４５の端部４５ａを連通させることにより吸引側吸引孔２６を外気と連通させる前に，先端部側吸引孔２１を閉塞して吸引側吸引孔２６と連通しない状態にして，先端部側吸引路２４からの吸引を停止させることができる。即ち，リーク孔２８を介して外気と先端部側吸引孔２１とが連通することは無く，先端部側吸引孔２１から流入した吸引物がリーク孔２８から外部に漏れるおそれがない。従って，術者や被験者に吸引物が付着することなく，清潔な状態で使用することができる。
【００２７】
筒体１５は操作部３に設けられた取付穴８に対して取り外しが可能な構成となっているので，吸引制御装置１０を操作部３から外して洗浄し，再使用することができる。また，吸引制御装置１０をディスポーサブル製品とし，使用済みの吸引制御装置１０は廃棄して，未使用の吸引制御装置１０に交換するようにしても良い。この場合，より衛生的に使用することができる。
【００２８】
以上，本発明の好適な実施の形態の一例を示したが，本発明はここで説明した形態に限定されない。当業者であれば，特許請求の範囲に記載された技術的思想の範疇内において各種の変更例または修正例に想到し得ることは明らかであり，それらについても当然に本発明の技術的範囲に属するものと了解される。
【００２９】
本実施の形態では，移動体１６の内部にリーク用流通路４５を設けた例を説明したが，リーク用流通路の形態はかかるものに限定されない。例えば図５に示すように，移動体１６の内部ではなく，小径部３２の外側にリーク用流通路６０を形成しても良い。図５に示す第２の実施の形態にかかる吸引制御装置５０では，移動体１６が待機位置Ｐ１にあるときは，大径部３１がリーク孔２８より上方に位置し，リーク孔２８が開口されてリーク用流通路６０と連通する。即ち，リーク用流通路６０を介してリーク孔２８と吸引側吸引孔２６とが連通するようになっている。一方，移動体１６が待機位置Ｐ１から下降してリーク孔２８が大径部３１の外側面によって閉塞されることにより，リーク孔２８とリーク用流通路６０とが連通しない状態となる。即ち，リーク孔２８と吸引側吸引孔２６を連通させない状態にすることができる。
【００３０】
図６は，本発明の第３の実施の形態にかかる吸引制御装置７０を示している。図６に示す吸引制御装置７０は，筒体７１と，筒体部７１の上部を支持する本体部７２と，移動体７３とを有する。筒体７１の内部には，仕切部８１の上下に空間８２と空間８３とがそれぞれ設けられている。仕切部８１の内側面は移動体７３の外側面に密着している。先端部側吸引孔８５と吸引側吸引孔８６は，下方の空間８３においてそれぞれ筒体７１の内側面と下端部とに開口されている。また，移動体７３の下端部外側面は，先端部側吸引孔８５の下方において筒体７１の内側面に沿って密着している。リーク孔８８は，本体部７２の上部に開口されており，上方の空間８２に連通している。移動体７３の内部には，流通路９１が設けられている。
【００３１】
図６において実線で示すように，移動体７３が待機位置Ｐ１にあるときは，流通路９１の一端部９１ａは上方の空間８２において移動体７３の外側面に開口しており，流通路９１の他端部９１ｂは，下方の空間８３において移動体７３の下面に開口して吸引側吸引孔８６に連通している。従って，吸引側吸引孔８６はリーク孔８８，空間８２及び流通路９１を介して外気に連通した状態になっている。外気は，吸引ポンプの吸引力によりリーク孔８８，空間８２，流通路９１及び吸引側吸引孔８６を通って吸引される。なお，先端部側吸引孔８５と吸引側吸引孔８６は，移動体７３の下端部によって遮断されているので，先端部側吸引孔８５の吸引は停止されている。また，空間８３は仕切部８１によって上方の空間８２及びリーク孔８８から遮断されているので，先端部側吸引孔８５は外気と連通していない。移動体７３を押して待機位置Ｐ１から距離Ｌ１だけ下降させると，流通路９１の端部９１ａが仕切部８１に沿って下降し，仕切部８１の内側面によって閉塞され，空間８２から遮断される。従って，吸引側吸引孔８６がリーク孔８８と連通しない状態になる。移動体７３の下端部は，筒体７１の内側面に密着したまま下降する。こうして，先端部側吸引孔８５，吸引側吸引孔８６，及び，リーク孔８８の外側の外気が，互いに連通しない状態になり，リーク孔８８からの外気の吸引が停止される。さらに，移動体７３を待機位置Ｐ１から距離Ｌ２だけ下降させ吸引位置Ｐ２に移動させると，流通路９１の端部９１ａが下方の空間８３に移動して，先端部側吸引孔８５と吸引側吸引孔８６とが下方の空間８３及び流通路９１を介して連通する。従って，吸引ポンプの吸引力により先端部側吸引孔８５，空間８３，流通路９１及び吸引側吸引孔８６を通って吸引物が吸引される。なお，空間８３は仕切部８１によって上方の空間８２及びリーク孔８８から遮断されているので，先端部側吸引孔８５と吸引側吸引孔８６は外気と連通していない。移動体７３から手指を離すと，移動体７３は本体部７２と移動体７３との間に備えた弾性部材９２の弾性力により付勢されて上昇する。そして，流通路９１の端部９１ａが仕切部８１によって閉塞されて吸引物の吸引が停止され，先端部側吸引孔８５，吸引側吸引孔８６及び外気が互いに連通しない状態を経て，待機位置Ｐ１に戻り，外気の吸引が再開される。このような構成にしても，本発明を好適に実施することができ，先端部側吸引孔８５から吸引された吸引物が空間８３，流通路９１，空間８２及びリーク孔８８を介して外部に漏れることを防止できる。
【００３２】
図７は，本発明の第４の実施の形態にかかる吸引制御装置１００を示している。図７に示す吸引制御装置１００は，筒体１０１を備えた本体部１０２と，移動体１０３とを有する。先端部側吸引孔１０５と吸引側吸引孔１０６は，それぞれ筒体１０１の内側面と下端部とに開口されている。移動体１０３は，本体部１０２及び筒体１０１内に通して設けられており，移動体１０３下部の外側面は筒体１０１の内側面に沿って密着している。移動体１０３の内部には，流通路１０８が設けられており，移動体１０３の外側面に開口された流通路１０８の端部１０８ａ，１０８ｂ，及び，移動体１０３の下面に開口された流通路１０８の端部１０８ｃは，互いに連通している。
【００３３】
図７において実線で示すように，移動体７３が待機位置Ｐ１にあるとき，流通路１０８の端部１０８ａは本体１０２の上方に配置されて外気に連通している。端部１０８ｂは，筒体１０１の内側面によって閉塞されている。端部１０８ｃは，筒体１０１の下部を介して吸引側吸引孔１０６に連通している。従って，吸引側吸引孔１０６は流通路１０８を介して外気に連通しており，端部１０８ａは吸引力をリークさせるリーク孔として機能している。外気は，吸引ポンプの吸引力により流通路１０８及び吸引側吸引孔１０６を通って吸引される。なお，先端部側吸引孔１０５は移動体１０３の外側面によって閉塞されており，吸引側吸引孔１０６，流通路１０８及び外気と連通していない。移動体１０３を待機位置Ｐ１から距離Ｌ１だけ下降させると，流通路１０８の端部１０８ａが本体部１０２の内側面によって閉塞される。従って，流通路１０８及び吸引側吸引孔１０６が外気から遮断され，先端部側吸引孔１０５，吸引側吸引孔１０６及び外気が互いに連通しない状態になり，外気の吸引が停止される。さらに，移動体１０３を待機位置Ｐ１から距離Ｌ２だけ下降させ吸引位置Ｐ２に移動させると，流通路１０８の端部１０８ａは本体部１０２の内側面によって閉塞されたまま，端部１０８ｂが先端部側吸引孔１０５と一致して連通する。従って，先端部側吸引孔１０５，吸引側吸引孔１０６，及び流通路１０８が外気から遮断されたまま，先端部側吸引孔１０５が流通路１０８を介して吸引側吸引孔１０６と連通する。そして，吸引ポンプの吸引力により先端部側吸引孔１０５，流通路１０８及び吸引側吸引孔１０６を通って吸引物が吸引される。移動体１０３から手指を離すと，移動体１０３は本体部１０２と移動体１０３との間に備えた弾性部材１１０の弾性力により付勢されて上昇する。そして，流通路１０８の端部１０８ｂが筒体１０１の内側面によって閉塞されることにより吸引物の吸引が停止され，先端部側吸引孔１０５，吸引側吸引孔１０６及び外気が互いに連通しない状態を経て，待機位置Ｐ１に戻り，外気の吸引が再開される。このようにしても，本発明を好適に実施することができ，先端部側吸引孔１０５から吸引された吸引物が流通路１０８を介して外部に漏れることを防止できる。
【００３４】
図８は，本発明の第５の実施の形態にかかる吸引制御装置１２０を示している。吸引制御装置１２０は，筒体１２１と移動体１２３とを備えている。筒体１２１は操作部３に開口された取付穴８に挿入されており，取付穴８に対して着脱自在になっている。筒体１２１の下端部には，先端部側吸引孔１２４が開口されており，この先端部側吸引孔１２４を開閉させる弁部１２５が取り付けられている。弁部１２５はゴム等の弾性材によって形成されている。弁部１２５の中央部には，スリット状の開閉孔１２５ａが形成されている。移動体１２３は開閉孔１２５ａの上方に配置されている。筒体１２１の内部において，移動体１２３の外側面と筒体１２１の内側面とは離隔しており，略筒状の空間１２６が形成されている。また，筒体１２１には口金部１１が設けられている。吸引側吸引孔１２８は，筒体１２１の内側面に開口して，筒状空間１２６に連通している。
【００３５】
移動体１２３の上端部には，筒体１２１の内径とほぼ同じ外径で形成された大径部１３２が形成されている。大径部１３２の上端部には，筒体１２１の内径より大きな外径で形成されたボタン部１３３が形成されている。大径部１３２より下方には，移動体１２３の下端部から軸方向（上下方向）に沿って連通溝１３５が形成されている。連通溝１３５は例えば移動体１２３の外側面に４個設けられ，移動体１２３の断面が例えば略十字形状になるように配置されている。
【００３６】
移動体１２３は，筒体１２１に取り付けられたゴムなどの弾性材からなるカバー１３７によって支持されており，大径部１３２及びボタン部１３３が筒体１２１の上方に突出するように保持されている。カバー１３７は筒状に形成され，筒体１２１の上端部及び大径部１３２を囲むように備えられている。カバー１３７の上縁部は，ボタン部１３３の下面に接続され，カバー１３７の下縁部は筒体１２１の外側面に接続されている。カバー１３７にはリーク孔１３８が形成されている。
【００３７】
図８に示す待機状態では，移動体１２３はカバー１３７の弾性力により待機位置Ｐ１に保持されている。移動体１２３の下端部は開閉孔１２５ａから離隔しており，開閉孔１２５ａは閉塞している。従って，先端部側吸引孔１２４からの吸引物の吸引は停止されている。大径部１３２は筒体１２１から持ち上げられており，筒体１２１の上端が開口されている。従って，筒状空間１２６はカバー１３７の内部に連通しており，吸引側吸引孔１２８は，筒状空間１２６，カバー１３７の内部及びリーク孔１３８を介して外気に連通している。外気は，吸引ポンプの吸引力によりリーク孔１３８，カバー１３７の内部，筒状空間１２６及び吸引側吸引孔１２８を通って吸引される。
【００３８】
吸引を行うときは，カバー１３７の弾性力に抗してボタン部１３３を押し下げるようにする。カバー１３７は，カバー１３７の上端と下端との間の中間部分が外周側に向かって突出するように変形する。移動体１２３を待機位置Ｐ１から距離Ｌ１だけ下降させると，大径部１３２の下端によって筒体１２１の上端が閉じられ，筒状空間１２６がカバー１３７の内部から遮断される。従って，吸引側吸引孔１２８がカバー１３７の内部，リーク孔１３８及び外気と連通しない状態になり，外気の吸引が停止される。また，移動体１２３の下端部は未だ開閉孔１２５ａから離隔した位置にあり，開閉孔１２５ａは開口されていないので，先端部側吸引孔１２４からの吸引物の吸引も停止されている。
【００３９】
さらに，大径部１３２を筒体１２１に挿入させながら，移動体１２３を下降させ，移動体１２３の下端部を先端部側吸引孔１２４内で下降させる。移動体１２３の下端を開閉孔１２５ａに当接させたら，図９に示すように弁部１２５の弾性力に抗して開閉孔１２５ａを押し広げるようにして，移動体１２３の下端部を開閉孔１２５ａ内に押し入れる。そして，移動体１２３を待機位置Ｐ１から距離Ｌ２だけ下降した吸引位置Ｐ２に移動させる。すると，開閉孔１２５ａと移動体１２３の連通溝１３５の間に隙間が形成され，連通溝１３５を介して先端部側吸引孔１２４と取付穴８内の空間Ａ（弁部１２５と取付穴８の下端部との間の空間）とが連通する。このようにして，先端部側吸引孔１２４が空間Ａ及び吸引管７に対して開口される。従って，吸引ポンプの吸引力により吸引管７，空間Ａ，開閉孔１２５ａ，先端部側吸引孔１２４，筒状空間１２６及び吸引側吸引孔１２８を通って吸引物が吸引される。
【００４０】
ボタン部１３３から手指を離すと，移動体１２３はカバー１３７の弾性力により付勢されて上昇する。移動体１２３の下端部が開閉孔１２５ａから離隔すると，弁部１２５の弾性力により開閉孔１２５ａが閉塞された状態に戻る。従って，先端部側吸引孔１２４が空間Ａ及び吸引管７から遮断されて，吸引物の吸引が停止される。こうして，開閉孔１２５ａが閉塞し，吸引側吸引孔１２８が外気に連通しない状態を経て，大径部１３２が筒体１２１上端から抜き出され，移動体１２３が待機位置Ｐ１に戻り，外気の吸引が再開される。
【００４１】
かかる吸引制御装置１２０によれば，待機状態から吸引状態にする際，開閉孔１２５ａを開口させる前に，筒体１２１の上端を閉塞して吸引側吸引孔１２８を外気と連通しない状態にすることができる。また，吸引状態から待機状態にする際，筒体１２１の上端を開口させて吸引側吸引孔１２８を外気と連通させる前に，開閉孔１２５ａを閉塞して，吸引物の吸引を停止させることができる。従って，筒状空間１２６及びカバー１３７の内部を介して吸引物がリーク孔１３８から外部に漏れることを防止できる。
【００４２】
なお，吸引制御装置１２０においては，カバー１３７にリーク孔１３８を設け，移動体１２３の大径部１３２によって筒体１２１上端を開閉することにより，吸引側吸引孔１２８を外気と連通させる状態と連通させない状態とを切り替える構成としたが，吸引側吸引孔１２８を外気と連通させる状態と連通させない状態とを切り替える構成はかかるものに限定されない。例えば，実施の形態に示した吸引制御装置１０（図２参照），又は，第２の実施の形態に示した吸引制御装置５０（図５参照）と同様に，筒体１２１にリーク孔を設け，移動体１２３にリーク用流通路を設けた構成とし，移動体１２３の昇降により，リーク孔とリーク用流通路を連通させる状態と連通させない状態とを切り替えるようにしても良い。
【産業上の利用可能性】
【００４３】
本発明は，内視鏡の吸引を制御する装置に適用できる。
【図面の簡単な説明】
【００４４】
【図１】内視鏡の構成を説明する説明図である。
【図２】本実施の形態にかかる吸引制御装置の待機状態を示す断面図である。
【図３】本実施の形態にかかる吸引制御装置において，移動体を待機位置と吸引位置との間に配置させた状態を示す断面図である。
【図４】本実施の形態にかかる吸引制御装置の吸引状態を示す断面図である。
【図５】第２の実施の形態にかかる吸引制御装置の断面図である。
【図６】第３の実施の形態にかかる吸引制御装置の断面図である。
【図７】第４の実施の形態にかかる吸引制御装置の断面図である。
【図８】第５の実施の形態にかかる吸引制御装置の待機状態を示す断面図である。
【図９】第５の実施の形態にかかる吸引制御装置の吸引状態を示す断面図である。
【符号の説明】
【００４５】
Ｐ１    待機位置
Ｐ２    吸引位置
１      内視鏡
２      挿入部
３      操作部
８      取付穴
１０    吸引制御装置
１５    筒体
１６    移動体
２１    先端部側吸引孔
２４    先端部側吸引路
２６    吸引側吸引孔
２７    吸引側吸引路
２８    リーク孔
４５    リーク用流通路
【図１】
2006081756.tif 000003
【図２】
2006081756.tif 000004
【図３】
2006081756.tif 000005
【図４】
2006081756.tif 000006
【図５】
2006081756.tif 000007
【図６】
2006081756.tif 000008
【図７】
2006081756.tif 000009
【図８】
2006081756.tif 000010
【図９】
2006081756.tif 000011